(57)【特許請求の範囲】
【請求項１】
前端面が開放した箱型のハウジングと、該ハウジング内に前後方向摺動可能に収容された引出体とを具備し、上記引出体を前方へと摺動させて引き出すことにより、該引出体が上記ハウジングの前端面から前方へと突出する引出機構において、
上記ハウジング又は引出体のいずれか一方に、直線状の第１ガイド溝と少なくとも一部に一側方へと斜行する斜行部を有する第２ガイド溝とを前後方向に沿って並設すると共に、この第１及び第２両ガイド溝の片端を、上記ハウジングの前端開放面又は上記引出体の後端に開口させ、他方に上記第１ガイド溝に摺動可能に挿入される第１ガイド突起と上記第２ガイド溝に摺動可能に挿入される第２ガイド突起とを突設し、これら第１及び第２ガイド突起を上記第１及び第２両ガイド溝の開口端から挿入して上記引出体を上記ハウジング内に組み付けてなり、上記引出体を引き出す際に上記第１及び第２ガイド突起がそれぞれ上記第１及び第２ガイド溝内を摺動し、上記第２ガイド突起が上記第２ガイド溝の斜行部を摺動することにより引出体が上記第１ガイド突起を中心にして回動しながら引き出され、該引出体が所定角度スイングした状態で上記ハウジングの前端面から突出するように構成したことを特徴とする引出機構。
【請求項２】
上記ハウジングの両側壁内面又は上記引出体の両側面のいずれか一方に前後方向に沿ってスライド溝が形成されていると共に、他方にこのスライド溝に摺動可能に挿入されるスライド突条が突設され、かつ引出体に形成された上記スライド溝又はスライド突条の少なくとも一部に、該引出体の上記回動運動に対応した湾曲部又は傾斜部を有する請求項１記載の引出機構。
【請求項３】
上記第１及び第２両ガイド溝が上記ハウジングの底壁内面に形成されていると共に、上記第１及び第２両ガイド突起が上記引出体の下面に突設されている請求項１又は２記載の引出機構。
【請求項４】
前端面が開放した箱型のハウジングと、カップ類を保持するための機構を備え、上記ハウジング内に前後方向摺動可能に収容されたホルダー部材とを具備し、使用時に上記ホルダー部材を前方へと摺動させて上記ハウジングから引き出すことにより、該ホルダー部材が上記ハウジングの前端面から前方へと突出するカップホルダーユニットにおいて、上記ハウジングとホルダー部材との間に請求項１〜３のいずれか１項記載の引出機構が構成されていることを特徴とするカップホルダーユニット。
【発明の詳細な説明】
【０００１】
【発明の属する技術分野】
本発明は、自動車用内装品のカップホルダーユニットなどに好適に用いられる引出機構、及び、該引出機構を用いたカップホルダーユニットに関する。
【０００２】
【従来の技術及び発明が解決しようとする課題】
従来から、自動車のセンターコンソールやインストルメントパネルに缶入り飲料等のカップルを保持するためのカップホルダーを設置することが行われており、この場合このようなカップホルダーとしては、狭い自動車室内の空間を有効に利用するために、自動車内装の壁面にハウジングを組み込み、このハウジングからホルダーを随時引き出して使用する引出式のものが知られている。
【０００３】
このような引出式のカップホルダーを自動車のインストルメントパネルなどに組み込む場合、設置個所によってはシフトレバーやアームレスト等がホルダー引出し動作の障害となる場合があり、これら障害物を避けてホルダーを引き出すことができるように、引出されたホルダーをスイング可能に設計したり、ホルダーの引出し軌跡を一側方へと斜行させたりすることが提案されている。また、設置個所によっては運転席側にホルダーを引き寄せられるようにするなど、使用者の使い勝手を考慮して同様の設計を行う場合もある。
【０００４】
例えば、特開平３−１６７０３７号公報には、図７に示したように、ハウジングａの上下壁に前後方向にスライド溝ｂを設けると共に、ホルダーｃにこのスライド溝ｂに摺動及び回転可能に挿入されたスライド突起ｄを設け、ホルダーｃをこのスライド溝ｂに沿って進退させると共に、ハウジングａから引出された状態にあっては上記スライド突起ｄを中心にスイングさせることが可能に設計されたカップホルダーが提案されている。
【０００５】
しかしながら、このカップホルダーは、ハウジングａから引出された状態のホルダーｃがスイング可能であるため、カップ類を保持した状態でも左右に揺動しやすく、特に自動車内では揺れや振動が常に発生するため使用時の安定性が不十分である。この場合、引出されたホルダーｃを所定角度スイングさせた状態でロックするロック手段を設けることは可能であるが、このようなロック手段を設ける場合、部品点数が多くなると共に組み立て作業も煩雑化してコスト高を招くこととなる。
【０００６】
また、図８に示したように、ハウジングａ内に前後方向に摺動可能なスライドガイド体ｅを設けると共に、前端側が一側方へと斜行したガイド溝ｂを設け、ホルダーｃには上記ガイド溝ｂに挿入される第１ガイド突起ｄと上記スライドガイド体ｅに設けられたスライドガイド溝ｆに挿入される第２ガイド突起ｇとを設け、ホルダーｃをハウジングａから一側方へとスライドさせながら引出すように構成したカップホルダーも提案されている。即ち、このカップホルダーは、図８（Ｂ）に示されているように、ホルダーｃをハウジングａから引出すとホルダーｃと共に上記スライドガイド体ｅがホルダーｃと共に前方へと移動し、ホルダーｃの上記第１ガイド突起ｄが上記ガイド溝ｂの斜行部にガイドされると共に、上記第２ガイド突起ｇがスライドガイド体ｅのスライドガイド溝ｆにガイドされ、ホルダーｃが一側方へとスライドした状態に引出されるものである。
【０００７】
このカップホルダーは、引出された状態のホルダーが比較的安定した姿勢を維持することができ、上記図７のカップホルダーのような問題を解消することができるが、上記スライドガイド体ｅを必要とするため部品点数が多くなり、またスライドガイド体ｅとホルダーｃとを連結させた状態でハウジングａ内に組み込まなければならず、組立作業が煩雑化するという問題があり、またこれが組み立て効率（製造効率）を低下させ、コスト高を招く結果となる。
【０００８】
本発明は、上記事情に鑑みなされたもので、カップ類を保持するホルダー等の引出体を一側方へとスライドさせて引出すことができると共に、引出した引出体を安定的に保持することができ、かつ少ない部品点数で組立作業も容易であり、コスト削減を図ることができる引出機構、及び該引出機構を用いたカップホルダーユニットを提供することを目的とする。
【０００９】
【課題を解決するための手段】
本発明は、上記目的を達成するため、前端面が開放した箱型のハウジングと、該ハウジング内に前後方向摺動可能に収容された引出体とを具備し、上記引出体を前方へと摺動させて引き出すことにより、該引出体が上記ハウジングの前端面から前方へと突出する引出機構において、上記ハウジング又は引出体のいずれか一方に、直線状の第１ガイド溝と少なくとも一部に一側方へと斜行する斜行部を有する第２ガイド溝とを前後方向に沿って並設すると共に、この第１及び第２両ガイド溝の片端を、上記ハウジングの前端開放面又は上記引出体の後端に開口させ、他方に上記第１ガイド溝に摺動可能に挿入される第１ガイド突起と上記第２ガイド溝に摺動可能に挿入される第２ガイド突起とを突設し、これら第１及び第２ガイド突起を上記第１及び第２両ガイド溝の開口端から挿入して上記引出体を上記ハウジング内に組み付けてなり、上記引出体を引き出す際に上記第１及び第２ガイド突起がそれぞれ上記第１及び第２ガイド溝内を摺動し、上記第２ガイド突起が上記第２ガイド溝の斜行部を摺動することにより引出体が上記第１ガイド突起を中心にして回動しながら引き出され、該引出体が所定角度スイングした状態で上記ハウジングの前端面から突出するように構成したことを特徴とする引出機構、及び、
前端面が開放した箱型のハウジングと、カップ類を保持するための機構を備え、上記ハウジング内に前後方向摺動可能に収容されたホルダー部材とを具備し、使用時に上記ホルダー部材を前方へと摺動させて上記ハウジングから引き出すことにより、該ホルダー部材が上記ハウジングの前端面から前方へと突出するカップホルダーユニットにおいて、上記ハウジングとホルダー部材との間に上記引出機構が構成されていることを特徴とするカップホルダーユニットを提供する。
【００１０】
本発明の引出機構は、上記のように、ハウジング又は引出体のいずれか一方に形成された直線状の第１ガイド溝と斜行部を有する第２ガイド溝の２つのガイド溝に、ハウジング又は引出体の他方に設けられた第１ガイド突起と第２ガイド突起をそれぞれ摺動可能に挿入し、上記引出体をハウジングから引出す際に上記第１，第２両ガイド突起が上記第１，第２両ガイド溝を摺動し、このとき第２ガイド突起が第２ガイド溝の斜行部にガイドされることにより、引出体が第１ガイド突起を中心に所定角度回動し、引出体が所定角度回動した状態でハウジングの前端面から引き出されるものである。
【００１１】
このように、本発明の引出機構によれば、第１ガイド突起と第１ガイド溝との係合点及び第２ガイド突起と第１ガイド溝との係合点の２点により引出体のスイング角度が規制されることとなり、このためハウジングの前端面から引出された引出体のスイング角度が所定角度で安定的に保持され、左右方向の揺れやガタツキを生じることがない。
【００１２】
しかも、ハウジングと引出体に上記第１，第２ガイド溝及び第１，第２ガイド突起を設ければよく、図８のカップホルダーのようなスライドガイド体ｅを必要とせず、また引出体を所定のスイング角度でロックするロック機構を設ける必要もないので、少ない部品点数で構成することができる上、ハウジング内に上記第１，第２ガイド溝と第１，第２ガイド突起とを係合させるように引出体をセットするだけの簡易な作業で、容易に組み立てることができ、組み立て時の作業工程を少なくすることができ、また効率よく組立作業を行うことができる。これにより、製造コストを効果的に削減して安価に製造することができるものである。
【００１３】
ここで、特に制限されるものではないが、上記ハウジングの両側壁内面又は上記引出体の両側面のいずれか一方に、前後方向に沿ってスライド溝を形成すると共に、上記ハウジングの両側壁内面又は上記引出体の両側面の他方に、上記スライド溝に摺動可能に挿入されるスライド突条を突設し、かつ引出体に形成された上記スライド溝又はスライド突条の少なくとも一部に、該引出体の上記回動運動に対応した湾曲部又は傾斜部を設けて、引出体をハウジングから引出す際又はハウジング内に格納する際に、上記スライド突条が上記スライド溝内を摺動するようにすることが好ましい。
【００１４】
これにより、引出体の上下のガタツキを確実に防止して、引出体がハウジングから引出された使用状態における安定性をより向上させることができる。また、引出体に形成された上記スライド溝又はスライド突条の少なくとも一部に、該引出体の上記回動運動に対応した湾曲部又は傾斜部を設けることにより、引出体が格納状態から完全に引出されるまでの間、及び引出し状態から完全に格納されるまでの間、常にスライド突条の少なくとも一部が上記スライド溝内に挿入された状態が維持され、引出し操作及び格納操作時にも上下のガタツキを生じることなく極めて安定的に引出し操作及び格納操作を行うことができるものである。
【００１５】
更に、上記第１及び第２両ガイド溝は、上記ハウジングの前端開放面又は上記引出体の後端に開口した状態に形成され、これにより、ハウジングへの引出体の組み付け作業をより簡便に行うことができ、組み付け作業を更に簡便化することができる。
【００１６】
即ち、通常はハウジングの上端壁又は下端壁を本体と別体に形成し、引出体をガイド溝とガイド突起とを係合させるようにハウジング内にセットして上記上端壁又は下端壁をハウジング本体に取り付けることにより、ハウジングに引出体を組み付ける必要があるが、上記のように上記第１及び第２両ガイド溝を、上記ハウジングの前端開放面又は上記引出体の後端に開口させることにより、上端壁及び下端壁を有する（例えばこれらを一体成形した）ハウジングの前端開放面から、上記第１及び第２両ガイド溝の開口端に上記ガイド突起を挿入するように、引出体を挿入して、ハウジングに引出体を組み付けることができ、極めて簡便に引出し機構を構成することができるものである。
【００１７】
このように、本発明の引出機構によれば、引出体を一側方へとスライドさせて引出すことができると共に、引出した引出体を安定的に保持することができ、かつ少ない部品点数で組立作業も容易であり、コスト削減を図ることができる。
【００１８】
従って、この引出機構を用いた本発明のカップホルダーユニットは、シフトレバーやアームレストなどの障害物を避けるため、或いは使い勝手を考慮してホルダー部材をスイングさせた状態に引出すことかできると共に、揺れやガタツキを生じることなく安定的にカップ類を保持し得、しかも少ない部品点数で、効率よく組み立てることができ、安価に製造することができるものである。
【００１９】
【発明の実施の形態及び実施例】
以下、実施例を示し、本発明をより具体的に説明する。
図１〜３は、本発明の一実施例にかかる引出機構を用いたカップホルダーユニットを示すもので、このカップホルダーユニットは、ハウジング１と、ハウジング１内に引出可能に収容されたホルダー部材（引出体）２と、底面支持アーム３とを具備する。
【００２０】
ハウジング１は、図４に示すように、前端面が開放した略箱型のケースであり、その上端壁は、ハウジング１の前部に設けられた後端側中央部が台形状に切欠かれた形状の上壁前部１１１と、ハウジング１の後端部一側方に設けられた上壁後部１１２とに分かれており、ハウジング１上面の中央部から後端他側方は開放した状態となっている。
【００２１】
このハウジング１の上記上壁前部１１１の後端部やや一側方には第１緩ロック穴１１３が穿設されていると共に、上記上壁後部１１２他側方にも第２緩ロック穴１１４が穿設されている。また、ハウジング１の両側壁内面には、前部と中間部やや後方にそれぞれレール突起１２１が突設されており、このレール突起１２１と下端壁１３との間にスライド溝１２が形成されている。
【００２２】
更に、ハウジング１の下端壁１３の内面には、前後方向に沿って第１ガイド溝１４と第２ガイド溝１５とが並設されている。上記第１ガイド溝１４は、ハウジング１の後部やや前方から前端にかけて直線状に形成されてハウジング１の前端面に開口している。また、上記第２ガイド溝１５はハウジング１の後端部から前端にかけて形成されていると共に、その中間部には一側方（第１ガイド溝１４と反対側）へと斜行する斜後部１５１が形成され、再び他側方へと斜行して小さな山形を形成した後、直線的にハウジング１の前端まで形成されハウジング１の前端面に開口している。
【００２３】
上記ホルダー部材２は、図５に示されているように、前端部（図５中の下側端）に摘み部２１が形成されていると共に、前部に真円状の保持穴２２が形成されている。また、長さ方向中間部両側部が内側に切欠かれて括れた形状になっている。
【００２４】
このホルダー部材２の両側面前部及び後部にはそれぞれスライド突条２３，２４が形成されており、両側面後部に形成されたスライド突条２４，２４の一方は円弧状に湾曲していると共に、他方は上記括れ部に沿って折曲している。
【００２５】
また、このホルダー部材２の上面後端部には、断面直角三角形の係止凸部２５が斜めに突設されていると共に、該係止凸部２５に隣接して頂部が球面状に丸められた円錐状の緩ロック凸部２６が突設されている。更に、ホルダー部材２下面の後部及び後端部にはそれぞれ第１ガイド突起２７及び第２ガイド突起２８が突設されている。
【００２６】
なお、図５中参照符号２９１は、ホルダー部材２の上面側に形成された補強リブであり、参照符号２９２はホルダー部材２の下面側に形成された補強リブである。
【００２７】
次に、上記底面支持アーム３は、図６に示されているように、四角形の本体３１の前端（図６中右側端）に幅広部３２を一体に形成すると共に、この幅広部３２に略半円形の貫通穴３２１を形成し、かつ本体３１の後端中央部に下降傾斜しながら後方へと延出する回動係止片３３を一体に形成したものである。
【００２８】
この底面支持アーム３の本体３１後端部両側面には、軸突起３１１，３１１がそれぞれ突設されており、また上記貫通穴３２１の直線状前端壁は内側へと斜めに傾斜した底受け面３２２となっている。
【００２９】
この底面支持アーム３は、図５に示されているように、上記軸突起３１１，３１１が、上記ホルダー部材２の下面側に形成された補強リブ２９２，２９２に軸着されて、ホルダー部材２の下面に回動可能に取り付けられている。
【００３０】
そして、この底面支持アーム３が取り付けられた上記ホルダー部材２は、図１〜３に示されているように、上記ハウジング１内に前後方向摺動可能に収容されている。この場合、上記ホルダー部材２の第１，第２ガイド突起２７，２８がそれぞれハウジング１の第１，第２ガイド溝１４，１５に挿入されていると共に、、ホルダー部材２のスライド突条２３，２４がハウジング１のスライド溝１２内に挿入された状態となっている。また、ホルダー部材２の上記係止凸部２５がハウジング１の上壁前部１１１より後方に形成された上面開口内に位置し、その先端部はハウジング１の上端面から上方へと突出している。
【００３１】
次に、このカップホルダーユニットの動作について説明する。
このカップホルダーユニットは、上記ハウジング１を自動車のインストルメントパネル等の内側に組み付けて自動車内に設置され、常時は図１に示された、ホルダー部材（引出体）２がハウジング１内に格納された状態とされており、使用時に、図２，３に示されているように、上記ホルダー部材２をハウジング１から引出して、該ホルダー部材２に缶入り飲料等のカップ類ｈを保持するものである。
【００３２】
即ち、常時は、図１に示されているように、ホルダー部材２のほぼ全てがハウジング１内に格納され、ホルダー部材２の摘み部２１がハウジング１の前端開放面を閉塞した状態となっている。このとき、ホルダー部材２の緩ロック凸部２６がハウジング１の上壁後部１１２に設けられた第２緩ロック穴１１４に嵌合し、緩やかにロックされた状態となっている。また、底面支持アーム３は、上方回動限にあり、ホルダー部材２の下面に密着して折り畳まれた状態となっている。
【００３３】
この状態から、カップホルダーを使用する場合は、上記摘み部２１を摘んで、ホルダー部材２をハウジング１の前端開放面から引き出す。これにより、ハウジング１の上壁後部１１２が上方に撓んで上記緩ロック凸部２６が第２緩ロック穴１１４から抜け出ることにより、緩ロック状態が解除され、ホルダー部材２がハウジング１内を前方へと摺動する。このとき、ホルダー部材２の第１，第２ガイド突起２７，２８はそれぞれハウジング１の第１，第２ガイド溝１４，１５内を摺動し、またホルダー部材２の両スライド突条２３，２４がハウジング２のスライド溝１２，１２内を摺動する。
【００３４】
そして、図２に示されているように、ホルダー部材２の第２ガイド突起２８が第２ガイド溝１５の斜行部１５１に進入すると、この第２ガイド突起２８がこの斜後部１５１に沿って一側方へと斜行しながら前方へと移動し、これによりホルダー部材２が上記第１ガイド突起２７を中心に回動しながら前方へと移動する。またこのとき、ホルダー部材２の後方のスライド突条２４，２４がハウジング１の前方のスライド溝１２，１２へと移動し、この前方のスライド溝１２，１２内を摺動する。更に、上記底面支持アーム３はハウジング１の前端面からの突出運動に伴って、自重により下方へと回動して行く。
【００３５】
そして、図３に示されているように、ホルダー部材２の第２ガイド突起２８が斜行部１５１の頂部に達すると、係止凸部２５がハウジング１の上壁前部１１１に当接して前方移動限となると共に、緩ロック突起２６がハウジング１の上壁前部１１１の下に潜り込み第１緩ロック穴１１３に嵌合してこの状態で緩ロックされる。
【００３６】
このとき、ホルダー部材２は、上記第２ガイド突起２８がガイド溝１５の斜行部１５１にガイドされて一側方へと斜行した分に応じた所定角度だけ他側方へとスイングした状態でハウジング１の前端面から突出し、保持穴２２が完全にハウジング１から前方に突出した状態となる。また、上記底面支持アーム３は、更に下方へと回動し、回動係止片３３がホルダー部材２の下面に当接して下方回動限となり、下方へ所定角度回動した状態で保持される。
【００３７】
そしてこの状態で、図３（Ｂ）に示されているように、ホルダー部材２のサポート穴２２を通して上記底面支持アーム３の底受け面３２２上に缶入り飲料等のカップ類ｈを載置し、このホルダー部材２にカップ類ｈを保持するものである。
【００３８】
ここで、上記第２ガイド溝１５の斜行部１５１は一旦一側方へと斜行した後、頂部を介して他側方へと斜行する山形に形成されているため、ホルダー部材２をハウジング１から完全に引き抜いてしまうためには、一旦一側方へ回動したホルダー部材２を再び他側方へと所定角度回動させ、更にこの回動角度を保持したまま手前に引き出すという、非常に複雑な動作をホルダー部材２にさせなければならず、このため使用時に誤ってホルダー部材２を引き抜いてしまうようなことがなく、安全に使用することができる。
【００３９】
そして、再びホルダー部材２をハウジング１内に格納する場合には、上記ホルダー部材２をハウジング１内に押し込む。これにより、ハウジング１の上壁前部１１１が上方へと撓んで上記緩ロック凸部２６が第１緩ロック穴１１３から抜け出て緩ロック状態が解除され、上記第２ガイド突起２８が第２ガイド溝１５の斜行部１５１にガイドされて、ホルダー部材２が引き出し時とは逆方向へと回動しながら後方へと移動し、上記緩ロック凸部２６がハウジング１の上壁後部１１２に当接した時、更に強くホルダー部材２を押し込むことにより、緩ロック凸部２６が上壁後部１１２の下に潜り込み、第２緩ロック穴１１４に嵌合して緩ロックされ、図１に示した初期状態へと戻る。
【００４０】
このように、本実施例のカップホルダーは、ハウジング１に形成された直線状の第１ガイド溝１４と斜行部１５１を有する第２ガイド溝１５の２つのガイド溝に、ホルダー部材２に設けらたれ第１ガイド突起２７と第２ガイド突起２８をそれぞれ摺動可能に挿入し、上記ホルダー部材２をハウジング１から引出す際に上記第１，第２両ガイド突起２７，２８が上記第１，第２両ガイド溝１４，１５を摺動し、このとき第２ガイド突起２８が第２ガイド溝１５の斜行部１５１にガイドされることにより、ホルダー部材２が第１ガイド突起２７を中心に所定角度回動し、ホルダー部材２が所定角度回動した状態でハウジング１の前端面から引き出されるものである。
【００４１】
よって、本例カップホルダーユニットでは、第１ガイド突起２７と第１ガイド溝１４との係合点及び第２ガイド突起２８と第１ガイド溝１５との係合点の２点によりホルダー部材２のスイング角度が規制されることとなり、このためハウジング１の前端面から引出されたホルダー部材２のスイング角度が所定角度で安定的に保持され、左右方向の揺れやガタツキを生じることがない。
【００４２】
また、本実施例では、ハウジング１の両側壁内面に、前後方向に沿ってスライド溝１２を形成すると共に、上記ホルダー部材２の両側面に、上記スライド溝１２に摺動可能に挿入されるスライド突条２３，２４を突設したことにより、ホルダー部材２の上下のガタツキが確実に防止され、ホルダー部材２がハウジング１から引出された使用状態における安定性をより向上させることができる。また、後方のスライド突条２４，２４に、ホルダー部材２の回動運動に対応した湾曲部及び傾斜部を設けたことにより、ホルダー部材２が格納状態から完全に引出されるまでの間、及び引出し状態から完全に格納されるまでの間、常にスライド突条２３，２４の少なくとも一部が上記スライド溝１２内に挿入された状態が維持され、引出し操作及び格納操作時にも上下のガタツキを生じることなく極めて安定的に引出し操作及び格納操作を行うことができるものである。
【００４３】
更に、このカップホルダーユニットでは、ハウジング１とホルダー部材２に上記第１，第２ガイド溝１４，１５及び第１，第２ガイド突起２７，２８を設ければよく、図８のカップホルダーのようなスライドガイド体ｅを必要とせず、またホルダー部材２を所定のスイング角度でロックするロック機構も設ける必要がないので、少ない部品点数で構成することができる上、ハウジング１内に上記第１，第２ガイド溝１４，１５と第１，第２ガイド突起２７，２８とを係合させるようにホルダー部材２をセットするだけの簡易な作業で、容易に組み立てることができ、組み立て時の作業工程を少なくすることができ、また効率よく組立作業を行うことができる。これにより、製造コストを効果的に削減して安価に製造することができるものである。
【００４４】
この場合、本実施例では、上記第１及び第２両ガイド溝１４，１５が、上記ハウジング１の前端開放面に開口して形成されているため、ハウジング１へのホルダー部材２の組み付け作業を非常に簡便に行うことができ、組み付け作業を極めて作業性よく容易に行うことができるものである。
【００４５】
即ち、本実施例のカップホルダーユニットでは、ハウジング１の前端開放面から、上記第１及び第２両ガイド溝１４，１５の開口端に上記第１，第２ガイド突起２７，２８を挿入するように、ホルダー部材２を圧入して、ハウジング１内にホルダー部材２を組み付けることができ、極めて簡便に引出し機構を構成することができるものである。
【００４６】
このように、本実施例のカップホルダーユニットは、シフトレバーやアームレストなどの障害物を避けるため、或いは使い勝手を考慮してホルダー部材２をスイングさせた状態に引出すことかできると共に、揺れやガタツキを生じることなく安定的にカップ類を保持し得、しかも少ない部品点数で、効率よく組み立てることができ、安価に製造することができるものである。
【００４７】
なお、本発明引出機構及び該機構を用いたカップホルダーユニットは、上記実施例に制限されるものではない。例えば、上記実施例ではハウジング１に第１，第２ガイド溝１４，１５を形成し、ホルダー部材２に第１，第２ガイド突起２７，２８を設けたが、逆にホルダー部材２に第１，第２ガイド溝を形成し、ハウジング１側に第１，第２ガイド突起を設けてもよい。また、使用時及び格納時にホルダー部材２をロックする機構やホルダー部材２に設けるカップ類の保持機構は、適宜変更することができ、その他の構成についても本発明の要旨を逸脱しない限り適宜変更して差し支えない。更に、本発明の引出機構は、引出式のカップホルダーに好適に用いられるものであるが、これに限定されるものではなく、各種トレーや小物入れ、その他、引出式の機構を必要とするものであればいかなる用途にも用いることができる。
【００４８】
【発明の効果】
以上説明したように、本発明の引出機構及び該引出機構を用いたカップホルダーユニットによれば、カップ類を保持するホルダー等の引出体を一側方へとスイングさせて引出すことができると共に、引出した引出体を安定的に保持することができ、かつ少ない部品点数で組立作業も容易であり、安価に構成することができる。
【図面の簡単な説明】
【図１】本発明の一実施例にかかる引出機構を備えたカップホルダーユニットを示すものであり、（Ａ）は平面図、（Ｂ）は（Ａ）のＢ−Ｂ線に沿った断面図、（Ｃ）は（Ａ）のＣ−Ｃ線に沿った断面図である。
【図２】同カップホルダーユニットのホルダー部材（引出体）を引き出す際の中間動作を示すもので、（Ａ）は平面図、（Ｂ）は断面図である。
【図３】同カップホルダーユニットのホルダー部材（引出体）を引き出した使用状態を示すもので、（Ａ）は平面図、（Ｂ）は断面図である。
【図４】同カップホルダーユニットを構成するハウジングを示すものであり、（Ａ）は平面図、（Ｂ）は（Ａ）のＢ−Ｂ線に沿った断面図である。
【図５】同カップホルダーユニットを構成するホルダー部材（引出体）を示すものであり、（Ａ）は平面図、（Ｂ）は（Ａ）のＢ−Ｂ線に沿った断面図である。
【図６】同カップホルダーユニットを構成する底面支持アームを示すものであり、（Ａ）は平面図、（Ｂ）は（Ａ）のＢ−Ｂ線に沿った断面図である。
【図７】従来のカップホルダーユニットの一例を示す斜視図である。
【図８】従来のカップホルダーユニットの他の例を示す概略図であり、（Ａ）は格納状態（非使用時）、（Ｂ）は引出状態（使用時）である。
【符号の説明】
１  ハウジング
１２  スライド溝
１４  第１ガイド溝
１５  第２ガイド溝
１５１  斜行部
２  ホルダー部材（引出体）
２３，２４  スライド突条
２７  第１ガイド突起
２８  第２ガイド突起
３  底面支持アーム
ｈ  缶入り飲料（カップ類）
【図１】
0004488133.tif 000002
【図２】
0004488133.tif 000003
【図３】
0004488133.tif 000004
【図４】
0004488133.tif 000005
【図５】
0004488133.tif 000006
【図６】
0004488133.tif 000007
【図７】
0004488133.tif 000008
【図８】
0004488133.tif 000009